(57)【要約】  本発明はチャネル状態情報の取得方法を開示し、ユーザー設備（UE）はコードブックインデックス情報及び総層数情報を基地局（eNB）に報告し、その中、上記コードブックインデックス情報は第2種のコードブックインデックスl、第1種のコードブックインデックスi及びインデックスパラメーターjの情報の1種を含むこと、及び上記基地局はUEが送信したコードブックインデックス情報及び総層数情報を受信した後、上記コードブックインデックス情報及び総層数情報によって、予め設定されたコードブック表を検索する方式で、または予め設定されたコードブック表を検索して計算を結合する方式でコードワードを取得することを含む。本発明はさらにチャネル状態情報の取得システムを開示する。本発明は、ネットワーク側はR8バージョンを用いるチャネル状態情報格式を互換できることによって、R8バージョンのマルチアンテナ機能を実現する一方で、ネットワーク側はR10の新しいコードブックによって大幅に量子化誤差を減少し、大幅にMU-MIMOシステムの性能を強化する。
2013520045.tif 000002
【特許請求の範囲】
【請求項１】
チャネル状態情報の取得方法であって、該方法は、
ユーザー設備（UE）はコードブックインデックス情報及び総層数情報を基地局（eNB）に報告し、その中、前記コードブックインデックス情報は第2種のコードブックインデックスl、第1種のコードブックインデックスi及びインデックスパラメーターjの情報の1種を含むこと、及び
前記基地局はUEが送信したコードブックインデックス情報及び総層数情報を受信した後、前記コードブックインデックス情報及び総層数情報によって、予め設定されたコードブック表を検索する方式で、または予め設定されたコードブック表を検索して計算を結合する方式でコードワードを取得することを含む。
【請求項２】
前記第1種のコードブックインデックスが対応するコードブックがR8バージョンのコードブックであり、またはR8バージョンコードブックにより数学変換した後得られたコードブックであり、前記第2種のコードブックインデックスが対応するコードブックがR10バージョンにおける新しいコードブックである請求項1に記載の方法。
【請求項３】
2013520045.tif 000056
【請求項４】
2013520045.tif 000057
【請求項５】
前記基地局は前記テーブル1によって第1種のコードブックのコードワードを取得し、或いは、前記テーブル2によって第2種のコードブックのコードワードを取得する請求項3または4に記載の方法。
【請求項６】
2013520045.tif 000058
【請求項７】
基地局は前記テーブル3によって第2種のコードブックのコードワードを取得し、前記テーブル4によって第1種のコードブックのコードワードを取得する請求項6に記載の方法。
【請求項８】
2013520045.tif 000059
【請求項９】
予め設定されたコードブック表を検索して計算を結合する方式によってコードワードを取得するステップにおいて、回転アルゴリズム或いは位相調整アルゴリズムによって第2種のコードワードを取得することとする請求項1に記載の方法。
【請求項１０】
予め設定されたコードブック表を検索して計算を結合する方式によってコードワードを取得するステップにおいて、回転アルゴリズムと位相調整アルゴリズムによって第2種のコードワードを取得することは、第2種のコードブックにおける一部のコードワードが回転アルゴリズムによって計算して得られることと、第2種のコードブックにおける他の一部のコードワードが位相調整アルゴリズムによって得られることを含む請求項1に記載の方法。
【請求項１１】
前記回転アルゴリズムとは1つの回転マトリクスと1つの予定コードブックBにおけるコードワードをかけて第2種のコードブックコードワードを取得することを指す請求項9または10に記載の方法。
【請求項１２】
前記予定コードブックBは1つの既知コードブックCにおけるすべてのコードワードを圧縮して得られ、前記圧縮は前記1つの圧縮マトリクスとコードブックCをかけることである請求項11に記載の方法。
【請求項１３】
前記コードブックCは第1種のコードブックであり、またはプロトコルが指定した他のコードブックであり、前記コードブックCが第1種のコードブックであると、前記コードブックCの大きさが第1種のコードブックの大きさであり、コードブックCのコードワードが第1種のコードブックのコードワードである請求項12に記載の方法。
【請求項１４】
2013520045.tif 000060
【請求項１５】
2013520045.tif 000061
【請求項１６】
2013520045.tif 000062
【請求項１７】
前記位相調整アルゴリズムとは、前記第1種のコードブックコードワードにおける各の元素を位相調整し、最終にNJ個の第2種のコードブックのコードワードを得て、NJは1より大きい正の整数であることを指し、前記位相調整とは1つの位相調整マトリクスと前記第1種のコードブックのコードワードをかけ、前記位相調整マトリクスは前記第1種のコードブックコードワードによって生成することを指す請求項9或10に記載の方法。
【請求項１８】
2013520045.tif 000063
【請求項１９】
2013520045.tif 000064
【請求項２０】
前記の方法はさらに、
前記基地局は得られたコードワードを参考してUEをディスパッチし、ダウンリンク伝送方式を選択してUEと通信し、前記ダウンリンク伝送方式は、シングルユーザー多入力多出力伝送モード、マルチユーザー多入力多出力伝送モード、シングルユーザー/マルチユーザー動的切り替え伝送モード及びマルチポイント協調伝送モードからの1種類を含むことを含む請求項1に記載の方法。
【請求項２１】
ユーザー設備（UE）と基地局を含むチャネル状態情報の取得システムであって、
前記UEはコードブックインデックス情報及び総層数を前記基地局に報告し、前記コードブックインデックス情報は第2種のコードブックインデックスl、第1種のコードブックインデックスi及びインデックスパラメーターjの情報からの1種を含むように設置され、
前記基地局は、UEが送信したコードブックインデックス情報及び総層数情報を受信した後、前記情報に従って予め設定されたコードブック表を検索する方式によってまたは予め設定されたコードブック表を検索して計算を結合する方式によってコードワードを取得するように設置される。
【発明の詳細な説明】
【技術分野】
【０００１】
本発明はデジタル通信分野に関し、特にチャネル状態情報の取得方法及びシステムに関する。
【背景技術】
【０００２】
ロングタームエボリューション（Long Term Evolution、LTE）システムのプロトコルがバージョン（Release）8であり、R8と略称し、ダウンリンク物理チャネル状態を反映する情報（Channel State Information、CSI）が3種類があって、チャネル品質指示（Channels Quality Indication、CQI）、プリコーディングマトリクス指示（Pre-coding Matrix Indicator、PMI）及びランク指示（Rank Indicator、RI）である。
【０００３】
CQIがダウンリンクチャネル品質を評価する1つの指標である。36-213プロトコルにおいて、CQIが0〜15の整数値で表し、それぞれ異なるCQIレベルを代表する。異なるCQIがそれぞれの変調方式と符号化ビットレート（即ち変調符号化方案（Modulation Coding Scheme、MCS））に対応して、合計16種類の場合に分けられ、4ビット情報によって表すことができる。
【０００４】
PMIとは閉ループ空間のみでこのような送信モードを多重化することで、端末（User Equipment、UE）が測定したチャネル品質に基づいて基地局（eNode B、eNB）にどのようなプリコーディングマトリクスを用いて該UEに送信する物理ダウンリンク共有チャネル（Physical Downlink Shared Channel、PDSCH）チャネルをプリコーディングすることを教える。PMIのフィードバックの粒度は帯域幅全体が1つのPMIをフィードバックしてもよく、サブバンド（subband）によってPMIをフィードバックする。
【０００５】
RIは空間の独立チャネルの個数を説明し、対応のチャネルがマトリクスのランクを応答する。開ループ空間多重化と閉ループ空間多重化のモードで、UEがRI情報をフィードバックする必要があって、他のモードでRI情報をフィードバックする必要がない。チャネルマトリクスのランクとダウンリンク伝送の層数が対応するため、UEが基地局にRI情報をフィードバックし、即ちダウンリンク伝送の層数をフィードバックする。
【０００６】
伝送層はLTEとLTE-Aにはマルチアンテナ「層」の概念であり、空間多重化中に有効的な独立チャネルの個数を表し、バージョン10にはアンテナポートが一々対応し、そのうち、バージョン10にはアンテナポートが論理ポートであり、伝送層の総数がRIである。また、IEEE802.16mにおいて、層は「MIMOストリーム」の概念と対応し、同じ物理意味を有する。
【０００７】
LTEシステムにおいて、CQI、PMIまたはRIのフィードバックが周期性的なフィードバックであってもよく、非周期性的なフィードバックであってもよい。CQIとPMIはともに送信でき、またはCQI、PMI及びRIは同時に送信する。その中、周期性的なフィードバックについて、
UEがデータを送信する必要がないと、周期的にフィードバックするCSIが物理アップリンク制御チャネル（Physical Uplink Control Channel、PUCCH）には格式2或いは2a或いは2b（PUCCH format2/2a/2b）で伝送し、UEがデータを送信する必要があると、CSIが物理アップリンク共有チャネル（Physical Uplink Shared Channel、PUSCH）において伝送し、非周期性的なフィードバックについて、PUSCHのみに伝送する。
【０００８】
2013520045.tif 000003
【０００９】
2013520045.tif 000004
【００１０】
チャネルマトリクス情報において特徴ベクトルの分布情報を含むため、コードブックにおけるコードワードが回転された後特徴ベクトルの分布確率について分布確率が大きなエリア重点で量子化し、量子化精度がさらに向上される。
【００１１】
LTEのエボリューション基準の高級ロングタームエボリューションシステム（Long Term Evolution Advanced、LTE-A）としてより大きなシステム帯域幅（最高100MHzに達することができる）をサポートする必要があって、且つ平均スペクトル効率とセル周辺ユーザーのスペクトル効率を向上する必要があって、そのプロトコルがバージョン10（Release 10、R10）である。このため、LTE-Aシステムが多くの新しい技術を取り入れ、（1）ダウンリンクのハイエンド多入力多出力（Multiple Input Multiple Output、MIMO）であって、LTEシステムダウンリンクが最多4アンテナの伝送をサポートするが、ハイエンドMIMOの取り入れがLTE-Aシステムダウンリンクが最多8アンテナの伝送をサポートするため、チャネル状態マトリクスの次元が増え、（2）協調マルチポイント伝送（Coordinated Multiple Point transmission、CoMP transmission）であって、該技術が複数のセル送信アンテナの協調伝送を利用することであり、UEが複数のセルのチャネル状態情報をフィードバックする必要がある。
【００１２】
送信端（eNB）に複数本のアンテナを用いて、空間多重化の方式によって伝送速率を向上でき、即ち送信端に同じ時間周波数リソース上の異なるアンテナ位置で異なるデータを送信することである。受信端（UE）にも複数本のアンテナを用いて、シングルユーザーである場合にすべてのアンテナのリソースをともに同一のユーザーに分配し、このような伝送形式はシングルユーザーMIMO（Single User-MIMO、SU-MIMO）と言われ、またマルチユーザーである場合に異なるアンテナ空間のリソースを異なるユーザーに分配し、このような伝送形式はマルチユーザーMIMO（Multiple User-MIMO、MU-MIMO）と言われる。単一の伝送モードで、eNBは報告したチャネル状態情報によって動的にダウンリンクのSU-MIMOの伝送またはMU-MIMOの伝送を選択でき、SU/MU MIMO動的切り替えと言われる。
【００１３】
以下に、シングルユーザーMIMOとマルチユーザーMIMOの動的切り替え伝送モードの一般的な処理過程を説明し、
まず、送信端がユーザー端末にパイロットを送信し、ユーザー端末がダウンリンクチャネル状態をテストすることに用いられ、ユーザー端末が受信したパイロット情報によってダウンリンクチャネルを推定し、ユーザー端末がフィードバックチャネル状態情報の格式を確定し、チャネル状態情報を報告し、次にeNBにより報告したチャネル状態情報によって、ダウンリンクのSU-MIMOの伝送またはMU-MIMOの伝送方式を動的に選択し、且つ選択した伝送方式によって通信する。
【００１４】
シングルユーザーMIMOとマルチユーザーMIMOの動的切り替え伝送モードに対して、後方互換性を保持する必要があって、SU-MIMOをサポートすることを優先原則として、できるだけR8のCQI/PMI/RIのフィードバック形式を互換する一方で、前方互換性を考える必要があって、MU-MIMOとCOMPへのサポートを考え、新しい技術に受け取り可能な性能を有するのを保証する。従来の状態情報報告方法精度が比較的低く、基地局がUEにデータを送信する際に用いるダウンリンクチャネルを正しく選択することができなく、さらに、MU-MIMOシステムが合理的な性能に達することができないことを招致する。
【発明の概要】
【発明が解決しようとする課題】
【００１５】
本発明が解決しようとする技術問題はチャネル状態情報の取得方法及びシステムを提供することにあり、SU-MIMOとMU-MIMOを互換でき、MU-MIMOのシステム性能を保証することができる。
【課題を解決するための手段】
【００１６】
上述技術問題を解決するために、本発明はチャネル状態情報の取得方法を提供し、
ユーザー設備（UE）はコードブックインデックス情報及び総層数情報を基地局（eNB）に報告し、その中、前記コードブックインデックス情報は第2種のコードブックインデックスl、第1種のコードブックインデックスi及びインデックスパラメーターjの情報の1種を含むこと、及び
前記基地局はUEが送信したコードブックインデックス情報及び総層数情報を受信した後、前記コードブックインデックス情報及び総層数情報によって、予め設定されたコードブック表を検索する方式で、または予め設定されたコードブック表を検索して計算を結合する方式でコードワードを取得することを含む。
【００１７】
前記第1種のコードブックインデックスが対応するコードブックがR8バージョンのコードブックであり、またはR8バージョンコードブックにより数学変換した後得られたコードブックであり、前記第2種のコードブックインデックスが対応するコードブックがR10バージョンにおける新しいコードブックである。
【００１８】
2013520045.tif 000005
【００１９】
2013520045.tif 000006
【００２０】
前記基地局は前記テーブル1によって第1種のコードブックのコードワードを取得し、或いは、前記テーブル2によって第2種のコードブックのコードワードを取得する。
【００２１】
2013520045.tif 000007
【００２２】
基地局は前記テーブル3によって第2種のコードブックのコードワードを取得し、前記テーブル4によって第1種のコードブックのコードワードを取得する。
【００２３】
2013520045.tif 000008
【００２４】
予め設定されたコードブック表を検索して計算を結合する方式によってコードワードを取得するステップにおいて、回転アルゴリズム或いは位相調整アルゴリズムによって第2種のコードワードを取得することとする。
【００２５】
予め設定されたコードブック表を検索して計算を結合する方式によってコードワードを取得するステップにおいて、回転アルゴリズムと位相調整アルゴリズムによって第2種のコードワードを取得することは、第2種のコードブックにおける一部のコードワードが回転アルゴリズムによって計算して得られることと、第2種のコードブックにおける他の一部のコードワードが位相調整アルゴリズムによって得られることを含む。
【００２６】
前記回転アルゴリズムとは1つの回転マトリクスと1つの予定コードブックBにおけるコードワードをかけて第2種のコードブックコードワードを取得することを指す。
【００２７】
前記予定コードブックBは1つの既知コードブックCにおけるすべてのコードワードを圧縮して得られ、前記圧縮は前記1つの圧縮マトリクスとコードブックCをかけることである。
【００２８】
前記コードブックCは第1種のコードブックであり、またはプロトコルが指定した他のコードブックであり、前記コードブックCが第1種のコードブックであると、前記コードブックCの大きさが第1種のコードブックの大きさであり、コードブックCのコードワードが第1種のコードブックのコードワードである。
【００２９】
2013520045.tif 000009
【００３０】
2013520045.tif 000010
【００３１】
2013520045.tif 000011
【００３２】
前記位相調整アルゴリズムとは、前記第1種のコードブックコードワードにおける各の元素を位相調整し、最終にNJ個の第2種のコードブックのコードワードを得て、NJは1より大きい正の整数であることを指し、前記位相調整とは1つの位相調整マトリクスと前記第1種のコードブックのコードワードをかけ、前記位相調整マトリクスは前記第1種のコードブックコードワードによって生成することを指す。
【００３３】
2013520045.tif 000012
【００３４】
2013520045.tif 000013
【００３５】
前記の方法はさらに、
前記基地局は得られたコードワードを参考してUEをディスパッチし、ダウンリンク伝送方式を選択してUEと通信し、前記ダウンリンク伝送方式は、シングルユーザー多入力多出力伝送モード、マルチユーザー多入力多出力伝送モード、シングルユーザー/マルチユーザー動的切り替え伝送モード及びマルチポイント協調伝送モードからの1種類を含む。
【００３６】
上述技術問題を解決するために、本発明はさらにチャネル状態情報の取得システムを提供し、ユーザー設備（UE）と基地局を含み、その中、
前記UEはコードブックインデックス情報及び総層数を前記基地局に報告し、前記コードブックインデックス情報は第2種のコードブックインデックスl、第1種のコードブックインデックスi及びインデックスパラメーターjの情報からの1種を含むように設置され、
前記基地局は、UEが送信したコードブックインデックス情報及び総層数情報を受信した後、前記情報に従って予め設定されたコードブック表を検索する方式によって、または予め設定されたコードブック表を検索して計算を結合する方式によってコードワードを取得するように設置される。
【発明の効果】
【００３７】
本発明における前記方法は、ユーザー端末がネットワーク側にチャネル状態情報を送信する際に、該情報には前記コードブックのインデックス情報を携え、ダウンリンクのチャネル状態情報を指示し、このように、ネットワーク側はR8バージョンを用いるチャネル状態情報格式を互換できることによって、R8バージョンのマルチアンテナ機能、例えばシングルユーザーMIMOを実現する一方で、ネットワーク側はR10の新しいコードブックによって大幅に量子化誤差を減少し、大幅にMU-MIMOシステムの性能を強化する。新しいコードブックの生成と表示方法によって、伝送効率と伝送品質を向上でき、MU-MIMOに正確なチャネル状態情報を欠ける問題を解決できる。
【図面の簡単な説明】
【００３８】
【図１】実施例1コードブックの生成方法を採用するシングルユーザーMIMOまたはマルチユーザーMIMOの通信過程である。
【図２】実施例2コードブックの生成方法を採用するシングルユーザーMIMOまたはマルチユーザーMIMO通信過程である。
【発明を実施するための形態】
【００３９】
より高いピーク値スペクトル効率を取得するために、LTE-Aシステムにおいて、ダウンリンクにシングルユーザーMIMOとマルチユーザーMIMOの動的切り替えをサポートする必要があって、チャネル情報のフィードバック制御シグナリングに後方互換性を保持する必要があって、SU-MIMOをサポートすることを優先原則として、できるだけ従来Release 8のCQI/PMI/RIのフィードバック形式を互換する一方、チャネル情報のフィードバックチャネル状態情報は前方互換性を考える必要があって、新しいR10コードブックを改めて設計する必要があって、フィードバック精度を向上し、MU-MIMOとCOMPをよりよくサポートし、新しい技術に受け取り可能な性能を有させることを保証する。
【００４０】
本発明チャネル状態情報の取得方法の発明の考えは、ユーザー設備（UE）はコードブックインデックス情報及び総層数情報を基地局（eNB）に報告し、上記コードブックインデックス情報は第1種のコードブックインデックスi、第2種のコードブックインデックスl、第1種のコードブックインデックスi及びインデックスパラメーターjの情報からの1種類を含むこと、及び上記基地局はUEが送信したコードブックインデックス情報及び総層数情報を受信した後、上記コードブックインデックス情報及び総層数情報に従って予め設定されたコードブック表を検索する方式で、または予め設定されたコードブック表を検索して計算を結合する方式でコードワード（プリコーディングマトリクス）を取得することである。
【００４１】
基地局は得られたコードワードを参考してUEをディスパッチし、ダウンリンク伝送方式を選択してUEと通信する。上記ダウンリンク伝送方式は以下の、SU-MIMO伝送モード、MU-MIMO伝送モード、シングルユーザー/マルチユーザー動的切り替え伝送モード、マルチポイント協調伝送モードCOMPからの1種類を含む。
【００４２】
UEは一般的にパイロット情報を受信した後、ダウンリンクチャネルを推定し、ダウンリンクチャネルの推定値を得て、上記ダウンリンクチャネルの推定値によって予め設定されたコードブック表を検索してコードブックインデックス情報を取得し、上記コードブックインデックス情報は第1種のコードブックインデックスi、第2種のコードブックインデックスl、第1種のコードブックインデックスi及びインデックスパラメーターjの情報からの1種類を含む。上記第1種のコードブックインデックスと第2種のコードブックインデックスはそれぞれ異なる伝送モードに対応する。UEがコードブックインデックス情報を受信した後、基地局に上記コードブックインデックス情報及び総層数情報を送信する。UEは基地局への送信が周期性であってもよく、非周期性であってもよい。
【００４３】
上記第1種のコードブックインデックスが対応するコードブックがR8バージョンのコードブック、またはR8バージョンコードブックによって数学変換した後得られたコードブックであり、上記第2種のコードブックインデックスが対応するコードブックがR10バージョンにおける新しいコードブックである。
【００４４】
上記端末と基地局は同じコードブック表を有する。
【００４５】
2013520045.tif 000014
【００４６】
2013520045.tif 000015
【００４７】
2013520045.tif 000016
【００４８】
2013520045.tif 000017
【００４９】
2013520045.tif 000018
【００５０】
本書に現れたNtとNTとの意味が同じ、ともに送信アンテナポート数を表す。
【００５１】
テーブルを検索して第1種のコードブックコードワードを取得した後、第2種のコードブックコードワードの確定はさらに計算によって得られ、回転アルゴリズムによって得られ、または位相調整アルゴリズムによって得られ、または回転アルゴリズムと位相調整アルゴリズムによって得られる（第2種のコードブックにおける一部のコードワードが回転アルゴリズム計算によって得られ、第2種のコードブックにおける他の一部のコードワードが位相調整アルゴリズム計算によって得られる）。
【００５２】
上記コードブックインデックス情報と総層数情報は異なるメッセージによって基地局に送信することが可能で、且つ送信する時間は同様でもよく、異なってもよい。
【００５３】
同様に、上述第1種のコードブックインデックスと第2種のコードブックインデックスはともに基地局に送信されてもよく、ともに基地局に送信されなくてもよく、2種類のコードブックインデックスがそれぞれの送信周期をそれぞれ有し、周期は同様でもよく、異なってもよい。
【００５４】
以下に、実施例を結びつけて本発明の方法についてさらに説明する。
【００５５】
2013520045.tif 000019
【００５６】
（実施例1）
2013520045.tif 000020
【００５７】
2013520045.tif 000021
【００５８】
【表１】
2013520045.tif 000022
【００５９】
以下に1つのより具体的な例を挙げる。
【００６０】
2013520045.tif 000023
【００６１】
i =0;  CW1 = [0.5, 0.5, 0.5, 0.5] T
i =1;  CW1 = [0.5, 0+0.5i, -0.5, 0-0.5i]T
i =2;  CW1 = [0.5, -0.5, 0.5, -0.5]T
i =3;  CW1 = [0.5, 0-0.5i, -0.5, 0+0.5i]T
i =4;  CW1 = [0.5, 0.35355+0.35355i, 0+0.5i, -0.35355+0.35355i]T
i =5;  CW1 = [0.5, -0.35355+0.35355i, 0-0.5i, 0.35355+0.35355i]T
i =6;  CW1 = [0.5, -0.35355-0.35355i, 0+0.5i, 0.35355-0.35355i]T
i =7;  CW1 = [0.5, 0.35355-0.35355i, 0-0.5i, -0.35355-0.35355i]T
i =8;  CW1 = [0.5, 0.5, -0.5, -0.5]T
i =9;  CW1 = [0.5, 0+0.5i, 0.5, 0+0.5i]T
i =10;  CW1 = [0.5, -0.5, -0.5, 0.5]T
i =11;  CW1 = [0.5, 0-0.5i, 0.5, 0-0.5i]T
i =12;  CW1 = [0.5, 0.5, 0.5, -0.5]T
i =13;  CW1 = [0.5, 0.5, -0.5, 0.5]T
i =14;  CW1 = [0.5, -0.5, 0.5, 0.5]T
i =15;  CW1 = [0.5, -0.5, -0.5, -0.5]T
【００６２】
本発明が上述取る値に限られないことに注意すべきである。
【００６３】
（実施例2）
2013520045.tif 000024
【００６４】
2013520045.tif 000025
【００６５】
【表２】
2013520045.tif 000026
【００６６】
2013520045.tif 000027
【００６７】
2013520045.tif 000028
【００６８】
基地局はUEをMU-MIMO伝送方式、またはSU/MU動的切り替え伝送方式、またはCOMP伝送方式にディスパッチすることとすると、上記の第2種のコードブックインデックスを用いて第1種のコードブックインデックスを結合する必要がある。
【００６９】
以下に1つのより具体的な例を挙げる。
【００７０】
仮に送信アンテナのポート数がNT=4とし、第2種のコードブックはR10において直接に定義されることができ、いずれかの1種類のコードブックインデックス、いずれかの第2種のコードブックのインデックス取る値及びいずれかの1つの総層数取る値を指定し、直接にR10において1つの対応の複数のマトリクス、即ち第2種のコードブックのコードワードを定義することができる。
【００７１】
2013520045.tif 000029
【００７２】
2013520045.tif 000030
【００７３】
2013520045.tif 000031
【００７４】
i =0、j =0;  CW2 = [0.82569, 0.32569, 0.32569, 0.32569]T
i =0、j =1;  CW2 = [0.32569, 0.57569-0.25i, 0.32569, 0.57569+0.25i]T
i =0、j =2;  CW2 = [0.32569, 0.32569, 0.82569, 0.32569]T
i =0、j =3;  CW2 = [0.32569, 0.57569+0.25i, 0.32569, 0.57569-0.25i]T
i =0、j =4;  CW2 = [0.45069-0.30178i, 0.62747+0.125i, 0.45069+0.051777i, 0.27392+0.125i]T
i =0、j =5;  CW2 = [0.45069-0.051777i, 0.27392-0.125i, 0.45069+0.30178i, 0.62747-0.125i]T
i =0、j =6;  CW2 = [0.45069+0.051777i, 0.27392+0.125i, 0.45069-0.30178i, 0.62747+0.125i]T
i =0、j =7;  CW2 = [0.45069+0.30178i, 0.62747-0.125i, 0.45069-0.051777i, 0.27392-0.125i]T
i =0、j =8;  CW2 = [0.32569, 0.82569, 0.32569, 0.32569]T
i =0、j =9;  CW2 = [0.57569-0.25i, 0.32569, 0.57569+0.25i, 0.32569]T
i =0、j =10;  CW2 = [0.32569, 0.32569, 0.32569, 0.82569]T
i =0、j =11;  CW2 = [0.57569+0.25i, 0.32569, 0.57569-0.25i, 0.32569]T
i =0、j =12;  CW2 = [0.57569, 0.57569, 0.57569, 0.075694]T
i =0、j =13;  CW2 = [0.57569, 0.57569, 0.075694, 0.57569]T
i =0、j =14;  CW2 = [0.57569, 0.075694, 0.57569, 0.57569]T
i =0、j =15;  CW2 = [0.075694, 0.57569, 0.57569, 0.57569]T
i =1、j =0;  CW2 = [0.32569, 0.25-0.57569i、 -0.32569, 0.25+0.57569i]T
i =1、j =1;  CW2 = [0.82569, 0-0.32569i, -0.32569, 0+0.32569i]T
i =1、j =2;  CW2 = [0.32569, -0.25-0.57569i, -0.32569, -0.25+0.57569i]T
i =1、j =3;  CW2 = [0.32569, 0-0.32569i, -0.82569, 0+0.32569i]T
i =1、j =4;  CW2 = [0.45069+0.30178i, -0.125-0.62747i、 -0.45069+0.051777i, 0.125+0.27392i]T
i =1、j =5;  CW2 = [0.45069-0.30178i, 0.125-0.62747i, -0.45069-0.051777i, -0.125+0.27392i]T
i =1、j =6;  CW2 = [0.45069-0.051777i, -0.125-0.27392i, -0.45069-0.30178i, 0.125+0.62747i]T
i =1、j =7;  CW2 = [0.45069+0.051777i, 0.125-0.27392i, -0.45069+0.30178i, -0.125+0.62747i]T
i =1、j =8;  CW2 = [0.57569+0.25i, 0-0.32569i, -0.57569+0.25i, 0+0.32569i]T
i =1、j =9;  CW2 = [0.32569, 0-0.82569i,-0.32569, 0+0.32569i]T
i =1、j =10;  CW2 = [0.57569-0.25i, 0-0.32569i, -0.57569-0.25i, 0+0.32569i]T
i =1、j =11;  CW2 = [0.32569, 0-0.32569i, -0.32569, 0+0.82569i]T
i =1、j =12;  CW2 = [0.32569+0.25i, 0-0.57569i, -0.32569+0.25i, 0+0.57569i]T
i =1、j =13;  CW2 = [0.57569, 0.25-0.32569i, -0.57569, 0.25+0.32569i]T
i =1、j =14;  CW2 = [0.32569-0.25i, 0-0.57569i, -0.32569-0.25i, 0+0.57569i]T
i =1、j =15;  CW2 = [0.57569, -0.25-0.32569i, -0.57569, -0.25+0.32569i]T
i =2、j =0;  CW2 = [0.32569, -0.32569, 0.82569, -0.32569]T
i =2、j =1;  CW2 = [0.32569, -0.57569-0.25i, 0.32569, -0.57569+0.25i]T
……
i =15、j =0;  CW2 = [0.075694, -0.57569, -0.57569, -0.57569]T
i =15、j =1;  CW2 = [0.57569, -0.32569-0.25i, -0.57569, -0.32569+0.25i]T
i =15、j =2;  CW2 = [0.57569, -0.57569, -0.075694, -0.57569]T
i =15、j =3;  CW2 = [0.57569, -0.32569+0.25i, -0.57569, -0.32569-0.25i]T
i =15、j =4;  CW2 = [0.45069+0.30178i, -0.27392+0.125i, -0.45069+0.051777i, -0.62747+0.125i]T
i =15、j =5;  CW2 = [0.45069+0.051777i, -0.62747-0.125i, -0.45069+0.30178i, -0.27392-0.125i]T
i =15、j =6;  CW2 = [0.45069-0.051777i, -0.62747+0.125i, -0.45069-0.30178i, -0.27392+0.125i]T
i =15、j =7;  CW2 = [0.45069-0.30178i, -0.27392-0.125i, -0.45069-0.051777i, -0.62747-0.125i]T
i =15、j =8;  CW2 = [0.57569, -0.075694, -0.57569, -0.57569]T
i =15、j =9;  CW2 = [0.32569+0.25i, -0.57569, -0.32569+0.25i, -0.57569]T
i =15、j =10;  CW2 = [0.57569, -0.57569, -0.57569, -0.075694]T
i =15、j =11;  CW2 = [0.32569-0.25i, -0.57569, -0.32569-0.25i, -0.57569]T
i =15、j =12;  CW2 = [0.32569, -0.32569, -0.32569, -0.82569]T
i =15、j =13;  CW2 = [0.32569, -0.32569, -0.82569, -0.32569]T
i =15、j =14;  CW2 = [0.32569, -0.82569, -0.32569, -0.32569]T
i =15、j =15;  CW2 = [0.82569, -0.32569, -0.32569, -0.32569]T
【００７５】
特に、第2種のコードブックコードワードの取る値と第1種のコードブックコードワードの取る値が上記の実例に限られないことに注意すべきである。
【００７６】
（実施例3）
2013520045.tif 000032
【００７７】
2013520045.tif 000033
【００７８】
2013520045.tif 000034
【００７９】
【表３】
2013520045.tif 000035
【００８０】
【表４】
2013520045.tif 000036
【００８１】
以下に1つのより具体的な例を挙げる
【００８２】
2013520045.tif 000037
【００８３】
l =0;  CW2 = [0.82569, 0.32569, 0.32569, 0.32569]T
l =1;  CW2 = [0.32569, 0.57569-0.25i, 0.32569, 0.57569+0.25i]T
l =2;  CW2 = [0.32569, 0.32569, 0.82569, 0.32569]T
l =3;  CW2 = [0.32569, 0.57569+0.25i, 0.32569, 0.57569-0.25i]T
l =4;  CW2 = [0.45069-0.30178i, 0.62747+0.125i, 0.45069+0.051777i, 0.27392+0.125i]T
……
l =253;  CW2 = [0.32569, -0.32569, -0.82569, -0.32569]T
l =254;  CW2 = [0.32569, -0.82569, -0.32569, -0.32569]T
l =255;  CW2 = [0.82569, -0.32569, -0.32569, -0.32569]T
【００８４】
2013520045.tif 000038
【００８５】
l = 0 -> 15;  CW1 = [0.5, 0.5, 0.5, 0.5]T
l = 16 -> 31;  CW1 = [0.5, 0+0.5i, -0.5, 0-0.5i]T
l = 32 -> 47;  CW1 = [0.5, -0.5, 0.5, -0.5]T
l = 48 -> 63;  CW1 = [0.5, 0-0.5i, -0.5, 0+0.5i]T
l = 64 -> 79;  CW1 = [0.5, 0.35355+0.35355i, 0+0.5i, -0.35355+0.35355i]T
l = 80 -> 95;  CW1 = [0.5, -0.35355+0.35355i, 0-0.5i, 0.35355+0.35355i]T
l = 96 -> 111;  CW1 = [0.5, -0.35355-0.35355i, 0+0.5i, 0.35355-0.35355i]T
l = 112 -> 127;  CW1 = [0.5, 0.35355-0.35355i, 0-0.5i, -0.35355-0.35355i]T
l = 128 -> 143;  CW1 = [0.5, 0.5, -0.5, -0.5]T
l = 144 -> 159;  CW1 = [0.5, 0+0.5i, 0.5, 0+0.5i]T
l = 160 -> 175;  CW1 = [0.5, -0.5, -0.5, 0.5]T
l = 176 -> 191;  CW1 = [0.5, 0-0.5i, 0.5, 0-0.5i]T
l = 192 -> 207;  CW1 = [0.5, 0.5, 0.5, -0.5]T
l = 208 -> 223;  CW1 = [0.5, 0.5, -0.5, 0.5]T
l = 224 -> 239;  CW1 = [0.5, -0.5, 0.5, 0.5]T
l = 240 -> 255;  CW1 = [0.5, -0.5, -0.5, -0.5]T
【００８６】
その中、l = 0 -> 15はlが0から15まで値を取ることを表し、他は以上のように、lが1つの1の以上の正の整数である。
【００８７】
特に、第2種のコードブックコードワードの取る値と第1種のコードブックコードワードの取る値が上記の実例に限られないことに注意すべきである
【００８８】
（実施例4）
本実施例は主にいかに第1種のコードブックのコードワードに従って回転アルゴリズムによって計算して第2種のコードブックのコードワードを生成するかを説明するものであり、本実施例の方法は上記実施例2-3における方法と結び付けて使用することができる。
【００８９】
上記回転アルゴリズムとは、1つの回転マトリクスと1つの予定コードブックBにおけるコードワードをかけて第2種のコードブックコードワードを得ることを指す。該予定コードブックBは1つの既知コードブックCにおけるすべてのコードワードを圧縮することによって得られ、上記圧縮は1つの圧縮マトリクスと上記コードブックCをかけることである。該コードブックCが第1種のコードブックであってもよくまたはプロトコルが指定したほかのコードブックであってもよい。
【００９０】
具体的に、上記基地局は回転圧縮アルゴリズムに基づいて、1つの既知コードブックCを指定し、第1種のコードブックAの1つのコードワードに対して、演算して、NBC個の第2のコードブックのコードワードを得て、その中、NBCは1より大きい正の整数であり、計算して第2種のコードブックのコードワードを得るステップは以下のステップを含み、
【００９１】
ステップ1）1つの指定したコードブックCにおいてすべてのコードワードを圧縮してコードブックBを得ること、上記の圧縮操作は、圧縮マトリクスともう1つのコードブックCのコードワードをかけることによって実現し、上記の指定したコードブックCが第1種のコードブックまたはプロトコルが直接に指定した他のコードブックであることに注意すべきである。上記指定したコードブックCが第1種のコードブックであると、コードブックCの大きさが第1種のコードブックの大きさであり、コードブックCのコードワードが第1種のコードブックのコードワードであり、
ステップ2）第1種のコードブックAの1つのコードワードに対して、いずれも対応の1つの回転マトリクスを有し、1つの回転マトリクスと上記のコードブックBの各のコードワードをかけることによって、最終に、第2種のコードブックのコードワードを取得し、
本発明はさらに、プロトコルがコードブックBを指定し、ステップ2）のみによって第2種のコードワードを得ることを含み、本発明はさらに、プロトコルがコードブックCを指定し、直接にCに回転圧縮演算を行い第2種のコードワードを得ることに注意すべきである。
【００９２】
2013520045.tif 000039
【００９３】
2013520045.tif 000040
【００９４】
2013520045.tif 000041
【００９５】
UEがSU-MIMO伝送モード、またはMU-MIMO伝送モード、またはSU-MIMO及びMU-MIMOの混合伝送モードで、UEは測定してダウンリンクチャネル情報を得て、予め設定された表を検索して測定して得られたチャネル情報とコードワードを比較し、最近傍コードワードを選択し、対応するコードワードインデックスをPMIフィードバックとしてeNBに送信する。
【００９６】
以下に1つのより具体的な例を挙げる。
【００９７】
仮に送信アンテナのポート数がNT=4とし、第2種のコードブックはR10において直接に定義され、いずれかの1種類のコードブックインデックス、いずれかの第2のコードブックのインデックスの取る値といずれかの1つの総層数の取る値を指定し、直接にR10において1つの対応の複数のマトリクスを定義でき、即ち第2種のコードブックのコードワードである。
【００９８】
2013520045.tif 000042
【００９９】
2013520045.tif 000043
【０１００】
上記のコードワード集合Bは、もう1つの指定したコードブックCにおいてすべてのコードワードを圧縮して得られ、上記の圧縮操作は圧縮マトリクスともう1つのコードブックCのコードワードをかけることのよって実現し、
【０１０１】
上記のコードワード集合Cは直接に指定されたものであり、R8コードブックであり、定義が以下の通りであり、
【０１０２】
IndexC =0、    CWC(0) = [0.5, 0.5, 0.5, 0.5]T;
IndexC =1、    CWC(1) = [0.5, 0+0.5i, -0.5, 0-0.5i]T;
IndexC =2、    CWC(2) = [0.5, -0.5, 0.5, -0.5]T;
IndexC =3、    CWC(3) = [0.5, 0-0.5i, -0.5, 0+0.5i]T;
IndexC =4、    CWC(4) = [0.5, 0.35355+0.35355i, 0+0.5i, -0.35355+0.35355i]T;
IndexC =5、    CWC(5) = [0.5, -0.35355+0.35355i, 0-0.5i, 0.35355+0.35355i]T;
IndexC =6、    CWC(6) = [0.5, -0.35355-0.35355i, 0+0.5i, 0.35355-0.35355i]T;
IndexC =7、    CWC(7) = [0.5, 0.35355-0.35355i, 0-0.5i, -0.35355-0.35355i]T;
IndexC =8、    CWC(8) = [0.5, 0.5, -0.5, -0.5]T;
IndexC =9、    CWC(9) = [0.5, 0+0.5i, 0.5, 0+0.5i]T;
IndexC =10、   CWC(10) = [0.5, -0.5, -0.5, 0.5]T;
IndexC =11、   CWC(11) = [0.5, 0-0.5i, 0.5, 0-0.5i]T;
IndexC =12、   CWC(12) = [0.5, 0.5, 0.5, -0.5]T;
IndexC =13、   CWC(13) = [0.5, 0.5, -0.5, 0.5]T;
IndexC =14、   CWC(14) = [0.5, -0.5, 0.5, 0.5]T;
IndexC =15、   CWC(15) = [0.5, -0.5, -0.5, -0.5]T;
【０１０３】
ここで、IndexCはコードワード集合Cのコードブックインデックスであり、CWC（IndexC）がコードワード集合Cの第IndexCのコードワードであり、IndexCが正の整数の以上である。
【０１０４】
2013520045.tif 000044
【０１０５】
2013520045.tif 000045
【０１０６】
コードワード集合Bを得て、
【０１０７】
IndexB =0;   CWB = [0.90139, 0.25, 0.25, 0.25]T
IndexB =1;   CWB = [0.90139, 0+0.25i, -0.25, 0-0.25i]T
IndexB =2;   CWB = [0.90139, -0.25, 0.25, -0.25]T
IndexB =3;   CWB = [0.90139, 0-0.25i, -0.25, 0+0.25i]T
IndexB =4;   CWB = [0.90139, 0.17678+0.17678i, 0+0.25i, -0.17678+0.17678i]T
IndexB =5;   CWB = [0.90139, -0.17678+0.17678i, 0-0.25i, 0.17678+0.17678i]T
IndexB =6;   CWB = [0.90139, -0.17678-0.17678i, 0+0.25i, 0.17678-0.17678i]T
IndexB =7;   CWB = [0.90139, 0.17678-0.17678, 0-0.25i, -0.17678-0.17678i]T
IndexB =8;   CWB = [0.90139, 0.25, -0.25, -0.25]T
IndexB =9;   CWB = [0.90139, 0+0.25i, 0.25, 0+0.25i]T
IndexB =10;  CWB = [0.90139, -0.25, -0.25, 0.25]T
IndexB =11;  CWB = [0.90139, 0-0.25i, 0.25, 0-0.25i]T
IndexB =12;  CWB = [0.90139, 0.25, 0.25, -0.25]T
IndexB =13;  CWB = [0.90139, 0.25, -0.25, 0.25]T
IndexB =14;  CWB = [0.90139, -0.25, 0.25, 0.25]T
IndexB =15;  CWB = [0.90139, -0.25, -0.25, -0.25]T
【０１０８】
ここで、IndexBがコードワード集合Bのコードブックインデックスであり、CWBがコードワード集合Bのコードワードである。
【０１０９】
2013520045.tif 000046
【０１１０】
回転マトリクス定義について、より具体的に、ここに1つの実例があって、仮に送信アンテナポート数が4であり、上記例において第1階段のコードブックが16コードワードを有し、主にR8のコードブックである。1つのコードワード集合unを既知し、定義が以下の通りであり、
【０１１１】
n =0;  Un(n) = [1,-1,-1,1]T
n =1;  Un(n) = [1,0-1i, 1,1]T
n =2;  Un(n) = [1,1,-1,1]T
n =3;  Un(n) = [1,0+1i, 1,1]T
n =4;  Un(n) = [1,-0.70711-0.70711i, 0-1i, 1]T
n =5;  Un(n) = [1,0.70711-0.70711i, 0+1i, 1]T
n =6;  Un(n) = [1,0.70711+0.70711i, 0-1i, 1]T
n =7;  Un(n) = [1,-0.70711+0.70711i, 0+1i, 1]T
n =8;  Un(n) = [1,-1,1,1]T
n =9;  Un(n) = [1,0-1i, -1,1]T
n =10;  Un(n) = [1,1,1,1]T
n =11;  Un(n) = [1,0+1i, -1,1]T
n =12;  Un(n) = [1,-1,-1,1]T
n =13;  Un(n) = [1,-1,1,1]T
n =14;  Un(n) = [1,1,-1,1]T
n =15;  Un(n) = [1,1,1,1]T
【０１１２】
2013520045.tif 000047
【０１１３】
回転マトリクスとコードワード集合Bを結びつけ、回転操作のマトリクス乗算式によって、第2のコードブックコードワードを得られる。i=0を考え、
【０１１４】
i =0、j =0;  CW2 = [0.82569, 0.32569, 0.32569, 0.32569]T
i =0、j =1;  CW2 = [0.32569, 0.57569-0.25i, 0.32569, 0.57569+0.25i]T
i =0、j =2;  CW2 = [0.32569, 0.32569, 0.82569, 0.32569]T
i =0、j =3;  CW2 = [0.32569, 0.57569+0.25i, 0.32569, 0.57569-0.25i]T
i =0、j =4;  CW2 = [0.45069-0.30178i, 0.62747+0.125i, 0.45069+0.051777i, 0.27392+0.125i]T
i =0、j =5;  CW2 = [0.45069-0.051777i, 0.27392-0.125i, 0.45069+0.30178i, 0.62747-0.125i]T
i =0、j =6;  CW2 = [0.45069+0.051777i, 0.27392+0.125i, 0.45069-0.30178i, 0.62747+0.125i]T
i =0、j =7;  CW2 = [0.45069+0.30178i, 0.62747-0.125i, 0.45069-0.051777i, 0.27392-0.125i]T
i =0、j =8;  CW2 = [0.32569, 0.82569, 0.32569, 0.32569]T
i =0、j =9;  CW2 = [0.57569-0.25i, 0.32569, 0.57569+0.25i, 0.32569]T
i =0、j =10;  CW2 = [0.32569, 0.32569, 0.32569, 0.82569]T
i =0、j =11;  CW2 = [0.57569+0.25i, 0.32569, 0.57569-0.25i, 0.32569]T
i =0、j =12;  CW2 = [0.57569, 0.57569, 0.57569, 0.075694]T
i =0、j =13;  CW2 = [0.57569, 0.57569, 0.075694, 0.57569]T
i =0、j =14;  CW2 = [0.57569, 0.075694, 0.57569, 0.57569]T
i =0、j =15;  CW2 = [0.075694, 0.57569, 0.57569, 0.57569]T
【０１１５】
特に、本発明の第2種のコードワードが上記取る値に限られないことに注意すべきである。
【０１１６】
（実施例5）
本実施例は主に第1種のコードブックのコードワードによって位相調整アルゴリズムによって計算して第2種のコードブックのコードワードを生成する方法を説明するものであり、本実施例方法は上記実施例2と実施例3における方法と結び付けて使用することができる。
【０１１７】
上記基地局は位相調整アルゴリズムによって計算して第2種のコードブックのコードワードを得るステップは、
第1種のコードブックAの1つのコードワードに対して、いずれも対応の1つの位相調整マトリクスを有し、上記第1種のコードブックAのコードワードにおいて各の元素に位相調整を行い、最終にNJの第2種のコードブックのコードワードを得て、上記の位相調整操作は、1つの位相調整マトリクスと上記の第1種のコードブックのコードワードをかけることによって実現し、NJは1より大きい正の整数であり、
【０１１８】
2013520045.tif 000048
【０１１９】
2013520045.tif 000049
【０１２０】
以下に1つのより具体的な例を挙げる。
【０１２１】
仮に送信アンテナのポートd数がNT=4であり、第2種のコードブックはR10において直接に定義され、いずれかの1種類のコードブックインデックス、いずれかの第2種のコードブックのインデックスの取る値といずれかの1つの総層数の取る値を指定し、直接にR10において1つの対応の複数のマトリクス、即ち第2種のコードブックのコードワードを定義することができる。
【０１２２】
2013520045.tif 000050
【０１２３】
2013520045.tif 000051
【０１２４】
i =0;  CW1 = [0.5, 0.5, 0.5, 0.5] T
i =1;  CW1 = [0.5, 0+0.5i, -0.5, 0-0.5i]T
i =2;  CW1 = [0.5, -0.5, 0.5, -0.5]T
i =3;  CW1 = [0.5, 0-0.5i, -0.5, 0+0.5i]T
i =4;  CW1 = [0.5, 0.35355+0.35355i, 0+0.5i, -0.35355+0.35355i]T
i =5;  CW1 = [0.5, -0.35355+0.35355i, 0-0.5i, 0.35355+0.35355i]T
i =6;  CW1 = [0.5, -0.35355-0.35355i, 0+0.5i, 0.35355-0.35355i]T
i =7;  CW1 = [0.5, 0.35355-0.35355i, 0-0.5i, -0.35355-0.35355i]T
i =8;  CW1 = [0.5, 0.5, -0.5, -0.5]T
i =9;  CW1 = [0.5, 0+0.5i, 0.5, 0+0.5i]T
i =10;  CW1 = [0.5, -0.5, -0.5, 0.5]T
i =11;  CW1 = [0.5, 0-0.5i, 0.5, 0-0.5i]T
i =12;  CW1 = [0.5, 0.5, 0.5, -0.5]T
i =13;  CW1 = [0.5, 0.5, -0.5, 0.5]T
i =14;  CW1 = [0.5, -0.5, 0.5, 0.5]T
i =15;  CW1 = [0.5, -0.5, -0.5, -0.5]T
【０１２５】
2013520045.tif 000052
【０１２６】
2013520045.tif 000053
【０１２７】
特に、第2種のコードブックコードワードの取る値が上記の実例に限られないことに注意すべきである。
【０１２８】
上記実施例2、3において、第2種のコードブックコードワードを生成する際に、単独に実施例4における方法を採用して生成でき、または単独に実施例5の方法を採用して生成でき、または一部の第1種のコードブックコードワードにより実施例4の方法によって一部の第2種のコードブックコードワードを生成し、他の部分の第1種のコードブックコードワードにより実施例5の方法によって残った第2種のコードブックコードワードを生成できる。
【０１２９】
具体的に、第1種のコードブックAにおいて一部のコードワードに対して、各のコードワードはいずれも対応する1つの位相調整マトリクスを有し、上記第1種のコードブックAのコードワードにおいて各の元素を位相調整し、最終に第2種のコードブックのコードワードを得て、実施例5の方法と同様であり、
第1種のコードブックAにおいて他のコードワードに対して、各のコードワードはいずれも対応する1つの回転マトリクスを有し、1つの既知のコードワード集合Bにおいて各のコードワードを上記の第1種のコードブックAの上記1つの第1つのコードワードの周囲に回転し、最終に第2種のコードブックのコードワードを得て、実施例4の方法と同様である。
【０１３０】
このような混合方式の1つの具体実例が以下の通りであり、
第1種のコードブックがRel-8コードブックであり、第2種のコードブックコードワードが第1種のコードブックコードワードを拡張して得られたものであり、 
2種類の異なる形式が異なるタイプチャネルのフィードバック精度を向上するために拡張され、
【０１３１】
2013520045.tif 000054
【０１３２】
2013520045.tif 000055
【０１３３】
異なるコードワードは異なるアルゴリズムを選択して得られることはシミュレーション結果によって決められ、要するに、選択した結果はシステムのスループットを最大に達させ、またはシステムの効率を最大に達させる目的とする。
【０１３４】
（実施例6）
図1に示すように、以下に、シングルユーザーMIMOとマルチユーザーMIMO動的切り替え伝送モードの一般的な処理過程を説明し、以下のステップを含み、
ステップ101、送信端eNBがユーザー端末UEにダウンリンクチャネル情報パイロット参考情報を送信し、ユーザー端末がダウンリンクチャネル状態をテストすることに用いられ、
ステップ103、UEは受信したパイロット情報によってダウンリンクチャネルの推定を行い、
ステップ105、UEがフィードバックチャネル状態情報の格式を確定し、第1種のコードブックのインデックスと第2種のコードブックのインデックスを含み、
ステップ107、UEは第1種のコードブックのインデックスと第2種のコードブックインデックスを含むチャネル状態情報をeNBに報告し、
ステップ109、eNBは報告したチャネル状態情報に従って、動的にダウンリンクのSU-MIMOの伝送またはMU-MIMOの伝送方式を選択し、SU-MIMOの伝送方式で第1種のコードブックインデックスによって第1種のコードブックのコードワードを得て、MU-MIMOの伝送方式で第2種のコードブックインデックスによって第2種のコードブックのコードワードを得て、且つ選択した伝送方式に従って及び得られたコードワードを用いて重み値を生成し、UEと通信する。
【０１３５】
（実施例7）
図2に示すように、以下に、シングルユーザーMIMOとマルチユーザーMIMO動的切り替え伝送モードの一般的な処理過程を説明し、以下のステップを含み、
ステップ201、送信端eNBがユーザー端末UEにダウンリンクチャネル情報パイロット参考情報を送信し、ユーザー端末がダウンリンクチャネル状態をテストすることに用いられ、
ステップ203、UEは受信したパイロット情報によってダウンリンクチャネルの推定を行い、
ステップ205、UEはフィードバックチャネル状態情報の格式を確定し、1つの第2種のコードブックのインデックスを含み、
ステップ207、UEは第2種のコードブックインデックスを含むチャネル状態情報をeNBに報告し、
ステップ209、eNBは報告したチャネル状態情報に従って、動的にダウンリンクのSU-MIMOの伝送またはMU-MIMOの伝送方式を選択し、SU-MIMOの伝送方式で、第2のコードブックインデックスによって第1種のコードブックのインデックスを導き出し、第1種のコードブックのコードワードを得て、MU-MIMOの伝送方式で直接に第2種のコードブックインデックスを用いて、第2種のコードブックのコードワードを得て、且つ選択した伝送方式に従って及び得られたコードワードを用いて重み値を生成し、UEと通信する。
【０１３６】
上記方法の実現システムはUEと基地局を含み、その中、
上記UEはコードブックインデックス情報及び総層数を上記基地局に報告し、上記コードブックインデックス情報は第2種のコードブックインデックスl、第1種のコードブックインデックスi及びインデックスパラメーターjの情報からの1種を含むように設置され、
上記基地局は、UEが送信したコードブックインデックス情報及び総層数情報を受信した後、上記情報に従って予め設定されたコードブック表を検索する方式によってまたは予め設定されたコードブック表を検索して計算を結合する方式によってコードワードを取得するように設置される。
【０１３７】
UEと基地局の具体的な操作は上記方法を参照する。
【０１３８】
本発明の上記方法を用いてMU-MIMOシステムに十分な精度を有するチャネル状態情報を提供する。
【０１３９】
説明する必要があるのは、本発明における実施例及び実施例におけるそれぞれの特徴は互いに結びつけることができ、いずれも本発明の保護範囲に含まれる。また、図面のフローチャートに示したステップは例えば1組のコンピュータにおける指令を実行可能なコンピュータシステムにおいて実行でき、且つ、フローチャートに論理的な順序を示したが、ある場合に、ここと異なる順序で示した或いは説明したステップを実行できる。
【産業上の利用可能性】
【０１４０】
本発明において、ネットワーク側はR8バージョンを用いるチャネル状態情報格式を互換できることによって、R8バージョンのマルチアンテナ機能例えばシングルユーザーMIMOを実現する一方で、ネットワーク側はR10の新しいコードブックによって大幅に量子化誤差を減少し、大幅にMU-MIMOシステムの性能を強化する。新しいコードブックの生成と表示方法によって、伝送効率と伝送品質を向上でき、MU-MIMOに正確なチャネル状態情報を欠ける問題を解決できる。
【図１】
2013520045.tif 000065
【図２】
2013520045.tif 000066
【国際調査報告】
2013520045.tif 000067
2013520045.tif 000068
2013520045.tif 000069
2013520045.tif 000070
2013520045.tif 000071
2013520045.tif 000072